(57)【特許請求の範囲】
【請求項１】
所定のピッチ毎にピンを延ばした延長ピンとし、該延長ピンの先端部にコイルバネを介してピンキャップを取付け、該ピンキャップに缶を掛止する缶搬送用チェーンにおいて、上記ピンキャップはその上部にはチェーン体と反対側に開口した第１収容穴を、また下部にはチェーン体側に開口した第２収容穴を形成すると共に両収容穴の間に取付け部を設けた形状とし、この取付け部には上記収容穴と同心を成すと共に延長ピンの外径より大きなピン穴を有し、２つの収容穴の底のそれぞれに最大径側を向い合わせた状態で当接する円錐型コイルバネを取付け、上記延長ピンを取付け部のピン穴及び両円錐型コイルバネに挿通すると共に該円錐型コイルバネの先端に止め具を固定した構造とし、上記ピンキャップの動きは単なる軸方向のみならず、該軸方向に対して垂直方向（半径方向）の力に対しても動くことを可能としたことを特徴とする缶搬送用チェーン。
【請求項２】
円錐型コイルバネの最大径外周を収容穴内壁に接触し、円錐型コイルバネの最小径内周を延長ピンに接触させた請求項１記載の缶搬送用チェーン。
【請求項３】
所定のピッチ毎にピンを延ばした延長ピンとし、該延長ピンの先端部にコイルバネを介してピンキャップを取付け、該ピンキャップに缶を掛止して搬送する缶搬送用チェーンにおいて、上記ピンキャップはチェーン体と反対側を閉鎖すると共に先端は連続した面で形成する一方、チェーン体側に開口した収容穴を形成した形状とし、そして、上記延長ピンの先端部には中心軸に延長ピンの外径より大きなピン穴を貫通したスリーブを取付けると共に該スリーブの上端及び下端には最大径側を向い合わせた状態で円錐型コイルバネを取付け、該円錐型コイルバネの先端には止め具を固定して上記スリーブをピンキャップに設けた収容穴に嵌めて取付けた構造とし、上記ピンキャップの動きは単なる軸方向のみならず、該軸方向に対して垂直方向（半径方向）の力に対しても動くことを可能としたことを特徴とする缶搬送用チェーン。
【請求項４】
円錐型コイルバネの最大径外周を収容穴内壁に接触し、円錐型コイルバネの最小径内周を延長ピンに接触させた請求項３記載の缶搬送用チェーン。
【発明の詳細な説明】
【技術分野】
【０００１】
本発明は缶などの有底筒体を製造するラインに用いられる缶搬送用チェーンに関するものである。
【背景技術】
【０００２】
近年、ビールなどの飲料水容器として有底筒体のアルミ缶などが多用され、これを搬送する手段としてチェーンを利用するケースは多い。チェーンはスプロケットに巻き掛けられて走行することができるため、重量的に非常に軽い缶は、チェーンに掛止して搬送可能であることから、その利用度は高く、搬送装置としてはいたって簡単な構造を成している。
【０００３】
ところで、従来の缶搬送用チェーンは図４に示すように、ローラチェーン（イ）の適当なピッチ毎にピンを伸ばして延長ピン（ロ）、（ロ）・・・とし、該延長ピン（ロ）、（ロ）・・・の先端にはピンキャップ（ハ）、（ハ）・・・を取着している。そして、図５に示すように、高速運転している缶搬送用チェーンのピンキャップ（ハ）に缶（ニ）が掛止されるが、特にアルミ缶等では図６に示すように、ピンキャップ（ハ）との衝突によって缶（ニ）の内底面（ホ）及び内側面（ヘ）に打痕が生じる。
【０００４】
図７は延長ピン（ロ）の先端にピンキャップ（ハ）を固定した取付け構造を示している。ピンキャップ（ハ）は延長ピン（ロ）の先端に固定されている為に、缶（ニ）がピンキャップ（ハ）に掛止される際に、軸方向並びに該軸に対して垂直方向（半径方向）への緩衝効果は存在せず、その為に、缶（ニ）の内底面（ホ）及び内側面（ヘ）に打痕が生じ易い。
【０００５】
図８は、延長ピン（ロ）の先端にピンキャップ（ハ）を取付けた別形態を示している。この取付け構造は、延長ピン（ロ）の先端をピンキャップ（ハ）に設けた軸穴に嵌めると共に、コイルバネ（ト）を設けており、その為にピンキャップ（ハ）は軸方向に往復動可能と成っている。従って、缶（ニ）がピンキャップ（ハ）に掛止される際には軸方向に移動することで緩衝効果を備えることが出来る。
【０００６】
ところで、このピンキャップ（ハ）を延長ピン（ロ）の先端に取付ける場合、下部ワッシャ（チ）を延長ピン（ロ）に固定し、そして、延長ピン（ロ）の先端からコイルバネ（ト）を嵌め、その後、ピンキャップ（ハ）を取付け、該ピンキャップ（ハ）が延長ピン（ロ）から抜けないように先端には上部ワッシャ（リ）等の止め具を圧入している。その為に、該ピンキャップ（ハ）の上端には穴（ヌ）が設けられた開放型となり、穴（ヌ）の周囲には鋭角の縁（ル）が形成される。ピンキャップ（ハ）に掛止された缶（ニ）はこの縁（ル）に当ってキズが付くことがある。
【０００７】
実開平５−３２３１０号に係る「缶搬送用チェーン」は、缶がチェーンで搬送中にキズ付いたり、落下したりすることを抑制する缶搬送用チェーンであり、チェーンのピンを伸ばして搬送具（延長ピン）とし、この搬送具先端にチップ（ピンキャップ）を取着する。そして該チップは固定されることなく、チップの軸孔にバネを内蔵し、軸方向の動きはもとより、多少の傾きも許容した状態で取着されている。前記図８に示したピンキャップ（ハ）の取付け構造と共通している。
【０００８】
樹脂製チップは固定されることなくバネを介している為に、搬送具の軸方向に動くことができ、該搬送具に缶が掛止する際の衝撃力を緩和し、缶底の変形はもとより、キズ発生を抑制する。又チップは軸孔と搬送具のクリアランスがラフなもので、該チップの動きは単に軸方向のみならず、該軸に対して垂直方向の力に対して多少傾くことは可能である。しかし、軸孔のクリアランスに基づくチップの傾き程度では、缶の掛止際に生じる垂直方向の衝撃を十分に緩和できず、そのため、缶の変形、キズの発生を十分に抑制することは出来ない。
【特許文献１】実開平５−３２３１０号に係る「缶搬送用チェーン」
【発明の開示】
【発明が解決しようとする課題】
【０００９】
このように、従来の缶搬送用チェーンには上記のごとき問題がある。本発明が解決しようとする課題はこれら問題点であって、ピンキャップに掛止されて搬送される缶がその内底面及び内側面にキズが付きにくい缶搬送用チェーンを提供する。
【課題を解決するための手段】
【００１０】
本考案の缶搬送用チェーンは、所定ピッチ毎にピンを伸ばして延長ピンとし、この延長ピンの先端にピンキャップを取付けて被覆し、該ピンキャップはピンの軸方向に往復動可能な状態とし、また該軸に対して垂直方向（半径方向）にも動くことが出来る取付け構造としている。そこで、上記ピンキャップはバネを介して延長ピンの先端に取付けられる。
【００１１】
（１）円錐型コイルバネを用いた取付け構造
ピンキャップの中心軸部には、その上部にはチェーン体と反対側に開口した第１収容穴を、また下部にはチェーン体側に開口した第２収容穴、そして両収容穴の間には取付け部を設け、該取付け部には延長ピンの外径より大きなピン穴を貫通している。このピン穴に延長ピンを挿通し、取付け部を挟んで最大径側を向い合わせて円錐型コイルバネを取付け、そして、外れないように円錐型コイルバネの先端にはワッシャ等の止め具を固定している。
【００１２】
（２）ピンキャップの上端を塞いだ閉鎖型とした取付け構造
ピンキャップは、缶と接触するチェーン体と反対側先端を連続した面で形成し、閉型の有底筒体構造を成している。延長ピンの先端にはコイルバネを介してスリーブを取付け、このスリーブをピンキャップに設けたチェーン体側に開口した収容穴に嵌めて取付けている。すなわち、延長ピンに取付けたバネのチェーン体側にワッシャ等の止め具を取付けてコイルバネが落下しないように嵌め、そして中心軸に設けた延長ピンの外径より大きな貫通穴に延長ピンを挿通してスリーブを取付け、チェーン体と反対側ピン先端をワッシャ等の止め具で固定してスリーブが抜けないようにしている。そして、延長ピンに取付けたスリーブをピンキャップの穴に嵌めて取付ける。
【発明の効果】
【００１３】
本発明の缶搬送用チェーンの延長ピンの先端にはピンキャップが取付けられており、該ピンキャップは固定されることなくバネを介在している。従って、ピンキャップは軸方向に往復動することができ、ピンキャップに掛止する際の衝撃力を緩和し、缶内底面及び缶内側面の変形はもとより、キズ発生を抑制することが出来る。
【００１４】
しかもピンキャップの軸穴径を延長ピン径より大きくし、コイルバネとして円錐型コイルバネを用いることで、ピンキャップの動きは単に軸方向のみならず、該軸に対して垂直方向（半径方向）の力に対して動くことが可能と成る。この場合、ピンキャップの軸穴と延長ピンとの間に大きなクリアランスを形成すると共に円錐型コイルバネによって支持されることで、軸穴の全周にクリアランスが存在することで如何なる方向からの衝撃に対しても動くことが可能と成る。
【００１５】
その為に、キズの発生が抑制される。更にピンキャップの上端が缶と接触するチェーン体と反対側先端を連続した面で形成し、閉鎖型の有底筒体構造を成していることで、閉鎖型で形成される穴（ヌ）の周囲には鋭角の縁（ル）がなく、キズ付きにくく、また缶がピンキャップに掛止した際の接触面積が大きくなる為に、缶内底面が変形したり、キズ付くことは抑制される。
【図面の簡単な説明】
【００１６】
【図１】延長ピンの先端部にピンキャップを取付けた取付け構造。
【図２】延長ピンの先端部にピンキャップを取付けた取付け構造。
【図３】延長ピンの先端部にピンキャップを取付けた取付け構造。
【図４】延長ピンの先端部にピンキャップを取付けた缶搬送用チェーン。
【図５】ピンキャップに缶を掛止して搬送される状態。
【図６】缶の内底面及び内側面に発生するキズ。
【図７】延長ピンの先端部にピンキャップを取付けた従来の取付け構造。
【図８】延長ピンの先端部にピンキャップを取付けた従来の取付け構造。
【発明を実施するための形態】
【００１７】
図１は缶搬送用チェーンの延長ピン１の先端部にピンキャップ２を取付けた場合を示している本発明の実施例である。チェーンは前記図４に示すように一般の動力伝達用ローラチェーンであって、内プレート、外プレート、ピン、ブシュ、及びローラから構成され、所定のピッチ毎に上記延長ピン１，１・・・を延ばし、この延長ピン１の先端部にピンキャップ２を取付けている。このピンキャップ２は金属製又はプラスチックや硬質耐熱ゴム等の合成樹脂製とし、延長ピン１の先端部を被覆している。
【００１８】
同図に示すピンキャップ２は筒状部材を構成し、第１収容穴４と第２収容穴３が同心を成して形成され、第１収容穴４と第２収容穴３の間には取付け部５を設け、この取付け部５にピン穴６を有している。ピン穴６は上記第１収容穴４と第２収容穴３と同心を成し、しかも上記延長ピン１の外径より大きく成っている。従って、ピン穴６と延長ピン１との間には大きなクリアランス７が介在している。
【００１９】
ところで、このピン穴６には延長ピン１の先端部が挿通され、第１収容穴４と第２収容穴３には円錐型コイルバネ８ａ，８ｂが配置されて、取付け部５を円錐コイルバネの最大径側を向い合わせて挟み込んでいる。そして、円錐型コイルバネ８ａの先端側でワッシャ９が、円錐型コイルバネ８ｂの先端側でワッシャ１０が延長ピン１に固定されている。
【００２０】
円錐型コイルバネ８ａ,８ｂの最大外径外周は収容穴３，４内壁に接触して嵌り、延長ピン１は円錐型コイルバネ８ａ,８ｂの最小径内周に接触して嵌っている。従って、延長ピン１とピンキャップ２との間には、取付け部５を挟み込む２つの円錐型コイルバネ８ａ,８ｂが介在して入る。しかも、ピンキャップ２は傾くことなく延長ピン１と平行が保たれ、ピン穴６の全周にクリアランスが存在する。
【００２１】
缶がピンキャップ２に掛止された際、ピンキャップ２の先端に軸方向に力が作用するならば、該ピンキャップ２は円錐型コイルバネ８ａが圧縮して軸方向に沿って移動することが出来る。また、取付け部５に設けたピン穴６と延長ピン１との間には隙間（クリアランス７）が存在することで、ピンキャップ２の外側面に外力が作用するならば、円錐型コイルバネ８ａ,８ｂが弾性変形して、ピンキャップ２は半径方向へ動くことが出来る。すなわち、単なるクリアランスが存在してピンキャップ２が傾くことが出来る場合とは異なる。
【００２２】
図２は延長ピン１の先端部に別形態のピンキャップ１１を取付けた場合を示している。ピンキャップ１１は、缶と接触するチェーン体と反対側先端を連続した面で形成し、閉鎖型の有底筒体構造を成している。従って、閉鎖型である為に上端に鋭角的な縁（ル）は存在せず、上端の面積は大きくなって、該ピンキャップ１１に缶が掛止された場合、缶の内底面が変形したり、キズ付くことを防止出来る。
【００２３】
詳細には、ピンキャップ１１は、例えば筒状の部材であって、周壁１１ａと、端面１１ｂとを含む。周壁１１ａは、缶（ニ）がピンキャップ１１に掛止される際、延長ピン１の径方向において缶（ニ）の内側面（へ）に接触し、端面１１ｂは、延長ピン１の軸方向において缶（ニ）の内底面（ホ）に接触する。周壁１１ａは、缶内底面（ホ）に対向する周縁１１ｃを有する。端面１１ｂは、周縁１１ｃによって画定される開口全体を閉塞するように周縁１１ｃから一体に延びる単一の面である。端面１１ｂは単一面であるため段差を有しない。具体的には、端面１１ｂは、周縁１１ｃと面一、かつ同一の平面上で延びる面である。これに代えて、端面１１ｂは、缶内底面（ホ）の形状に合致する面であってもよい。上記構成の端面１１ｂにより、ピンキャップ１１の周縁１１ｃには、図８に示すような鋭角的な縁（ル）が形成されていない。
【００２４】
ところで、ピンキャップ１１は延長ピン１の先端部に直接取付けられず、スリーブ１２を介在した取付け構造と成っている。スリーブ１２の中心軸に貫通して設けたピン穴１３に延長ピン１を挿入し、そしてスリーブ１２にはコイルバネ１４を延長ピン１に嵌めると共に、ワッシャ９にて止着している。また、延長ピン１の上端にはワッシャ１０が固定されており、スリーブ１２はピンキャップ１１に加工した収容穴１５に圧入されている。    従って、ピンキャップ１１の上端に外力が作用するならば、上記コイルバネ１４が圧縮して該ピンキャップ１１はチェーン体側に移動することが出来、缶がピンキャップ１１に掛止する際の衝撃は緩和される。
【００２５】
図３は本発明の更なる別実施例である。すなわち、ピンキャップ１７は缶と接触するチェーン体と反対側先端を連続した面で形成し、チェーン体反対側は閉鎖型とし、このピンキャップ１７は前記図２の場合と同じくスリーブ１８を介して延長ピン１の先端部に取付けられている。延長ピン１の先端部にはスリーブ１８が嵌っているが、該スリーブ１８の上・下端には円錐型コイルバネ８ａ，８ｂが最大径側を向い合わせて接している。そして、円錐型コイルバネ８ａ，８ｂの先端側にはワッシャ９とワッシャ１０が延長ピン１に固定され、該スリーブ１８は円錐型コイルバネ８ａ，８ｂに挟まれた状態で取付けられている。
【００２６】
そして、スリーブ１８のピン穴１９は延長ピン１の外径より大きくて、ピン穴１９と延長ピン１との間には大きなクリアランス７を有している。従って、該ピンキャップ１７の上端に外力が作用した場合、円錐型コイルバネ８ａが圧縮してピンキャップ１７は移動することが出来る。そして、ピンキャップ１７の側面に外力が作用した場合には、円錐型コイルバネ８ａ，８ｂが弾性変形して該ピンキャップ１７は半径方向へ動くことが出来る。従って、ピンキャップ１７に缶などを挿入時、及びチェーンと共に高速走行しているピンキャップ１７に缶が掛止される場合の衝撃は緩和され、缶内底面及び缶内側面が変形したり、キズ付くことが抑制される。
【００２７】
詳細には、ピンキャップ１7は、例えば筒状の部材であって、周壁１7ａと端面１7ｂとを含む。周壁１7ａは、缶（ニ）がピンキャップ１7に掛止される際、延長ピン１の径方向において缶（ニ）の内側面（へ）に接触し、端面１7ｂは延長ピン１の軸方向において缶（ニ）の内底面（ホ）に接触する。周壁１7ａは缶内底面（ホ）に対向する周縁１7ｃを有する。端面１7ｂは、周縁１7ｃによって画定される開口全体を閉塞するように周縁１7ｃから一体に延びる単一の面である。端面１7ｃは単一面であるため段差を有しない。具体的には、端面１7ｂは周縁１7ｃと面一かつ同一の平面上で延びる面である。これに代えて、端面１7ｂは、缶内底面（ホ）の形状に合致する面であってもよい。上記構成の端面１7ｂにより、ピンキャップ１7の周縁１7ｃには、図８に示すような鋭角的な縁（ル）が形成されていない。
【符号の説明】
【００２８】
１   延長ピン
２   ピンキャップ
３   第２収容穴
４   第１収容穴
５   取付け部
６   ピン穴
７   クリアランス
８   円錐型コイルバネ
９   ワッシャ
10   ワッシャ
11   ピンキャップ
12   スリーブ
13   ピン穴
14   コイルバネ
15   収容穴
16   ピンキャップ
17   ピンキャップ
18   スリーブ
19   ピン穴
【図１】
0005925600.tif 000002
【図２】
0005925600.tif 000003
【図３】
0005925600.tif 000004
【図４】
0005925600.tif 000005
【図５】
0005925600.tif 000006
【図６】
0005925600.tif 000007
【図７】
0005925600.tif 000008
【図８】
0005925600.tif 000009